(57)【特許請求の範囲】
【請求項１】
瓦屋根と、該瓦屋根の瓦屋根板の水下側端縁と水上側端縁に係止して前記瓦屋根の棟，軒方向及び横方向に沿って適当な間隔に固定する複数のスタンドと、前記瓦屋根の横方向に沿って配置された複数のスタンドに固着され，且つ瓦屋根の棟，軒方向に沿って平行に配置される複数の横材と、該横材上に略直交して固着する複数のガッター材と、ソーラー部材を装着した平坦状主板の幅方向両側に前記ガッター材の被嵌合部に嵌合する嵌合側部を形成したソーラー屋根板とからなり、前記スタンドは、任意の一枚の瓦屋根板の水下側端縁と水上側端縁に係止される水下係止部と水上係止部とを有してなることを特徴とする瓦屋根へのソーラー屋根板の取付構造。
【請求項２】
請求項１において、前記スタンドは、水下側部材と水上側部材との二部材からなり、水下側部材は瓦屋根板の水下側端縁に係止する水下係止部を有し、水上側部材は前記瓦屋根板の水上側端縁に係止する水上係止部を有し、水下側部材と水上側部材とを連結して瓦屋根板に固着してなることを特徴とする瓦屋根へのソーラー屋根板の取付構造。
【発明の詳細な説明】
【０００１】
【発明の属する技術分野】
本発明は、既設または、新設の瓦屋根に所望の範囲にわたって、簡単に装着することができ、且つ太陽光の照射を効率良く受けることができる瓦屋根へのソーラー屋根板の取付構造に関する。
【０００２】
【従来の技術】
近年、ソーラー部材を装着したソーラー屋根が次第に普及しはじめている。その多くは、シート状の太陽光電池からなるソーラー部材を金属製の屋根板に装着したものである。これは、屋根を構成する屋根板材にソーラー部材が最初からセットされたものである。このようなソーラーシステムを装着することができる屋根の種類としては金属製の折板タイプのものが好適であり、種々の構造のものが開発されている。
【０００３】
【発明が解決しようとする課題】
上述したソーラーシステムは、上記の金属製の折板タイプの屋根だけでなく、瓦屋根にも装着することが要望されるようになってきた。しかしながら、金属製の折板タイプの屋根は、ソーラーシステムを設置するための加工が比較的容易に行なうことができるのに対して、瓦屋根への装着は、非常に困難であった。即ち瓦屋根を構成する各瓦屋根板は、材質及び形状等の関係から加工に不向きであり、ソーラー部材の取付け用の貫通孔又は支持部材等の部品がなかなか取り付けにくいという状況にあり、このようなことから、瓦屋根にソーラー部材を装着するのは極めて困難なことであり、そのために、積極的には行なわれていない。
【０００４】
【課題を解決するための手段】
そこで、発明者は、上記課題を解決すべく、鋭意，研究を重ねた結果、本発明を、瓦屋根と、該瓦屋根の瓦屋根板の水下側端縁と水上側端縁に係止して前記瓦屋根の棟，軒方向及び横方向に沿って適当な間隔に固定する複数のスタンドと、前記瓦屋根の横方向に沿って配置された複数のスタンドに固着され，且つ瓦屋根の棟，軒方向に沿って平行に配置される複数の横材と、該横材上に略直交して固着する複数のガッター材と、ソーラー部材を装着した平坦状主板の幅方向両側に前記ガッター材の被嵌合部に嵌合する嵌合側部を形成したソーラー屋根板とからなり、前記スタンドは、任意の一枚の瓦屋根板の水下側端縁と水上側端縁に係止される水下係止部と水上係止部とを有してなる瓦屋根へのソーラー屋根板の取付構造としたことにより、既設或いは新設の金属製の屋根に簡易に装着することができ、太陽光の照射効率を極めて良好なるものとし、且つよごれの付着を可能なかぎり防止するとともに、ソーラー部材を損傷しにくくすることができ、上記課題を解決したものである。
【０００５】
【発明の実施の形態】
以下、本発明の実施形態を図面に基づいて説明する。まず、瓦屋根Ｂは、図１，図２に示すように、複数枚の瓦屋根板１５，１５，…が野地板１６上に配置固定した複数の瓦桟１７，１７，…にひっかけられて配置されて屋根が葺成されている。これは、一般の瓦屋根構造である。その瓦屋根板１５において、前後方向の端部をそれぞれ水下側端縁１５ａと水上側端縁１５ｂとを便宜的に決めることとする。
【０００６】
その瓦屋根板１５の水下側端縁１５ａと水上側端縁１５ｂについては、施工された瓦屋根Ｂにおいて、各瓦屋根板１５の傾斜下側，即ち軒側に向かう縁が水下側端縁１５ａである。そして、瓦屋根板１５の傾斜上側，即ち棟側に向かう縁が水上側端縁１５ｂとなる（図１，図２参照）。
【０００７】
そのスタンドＡは、図３（Ａ），（Ｂ）に示すように、水下側部材Ａ１  と水上側部材Ａ２  とから構成される。水下側部材Ａ１  は、水下係止部１と接合部２と挟持部３とから構成される。水下係止部１は、断面略角状Ｃ字形状をなしており、その水下係止部１には、瓦屋根板１５の水下側端縁１５ａが挿入係止する。その水下係止部１の上端縁より略垂直板状の接合部２が形成され、該接合部２の上端より僅かに水下係止部１の閉じ側に向かって，段差箇所を介して挟持部３が形成されている〔図３（Ａ）参照〕。また、水下係止部１の下端には、抱持部４が形成されている。
【０００８】
その水上側部材Ａ２  は、水上係止部５よりソーラー部材支持部６が形成され、該ソーラー部材支持部６の前端より水上側接合部７が形成される。水上係止部５は、瓦屋根板１５の水上側端縁１５ｂが係止する部分で、該水上係止部５は、帯状部５ａが形成され、該帯状部５ａがソーラー部材支持部６に連続している。該帯状部５ａの長手方向端部よりソーラー部材支持部６を構成する立ち上り板６ｂが形成され、該立ち上り板６ｂの上端に支持頂板６ａが形成されている。その立ち上り板６ｂは傾斜状に形成されたり、或いは垂直状に形成されている。その水上側接合部７は、前記接合部２とボルト，ナット或いはビス等の固着具８を介して連結固着される。
【０００９】
上記スタンドＡは、水下側部材Ａ1 と水上側部材Ａ2 とを接合部２と水上側接合部７とで連結することにより使用するもので、瓦屋根板１５の水下側端縁１５ａにスタンドＡの水下側部材Ａ1 の水下係止部１を係止し、瓦屋根板１５の水上側端縁１５ｂに水上側部材Ａ2 の水上係止部５を係止しながら、接合部２と水上側接合部７とを固着具８により固着する。
【００１０】
そのスタンドＡの別の実施形態として、上記水下側部材Ａ１  と水上側部材Ａ２  との二部材としたもの以外に、一体的構造とした実施形態も存在している〔図６（Ａ）参照〕。即ち、水下係止部１と，水上係止部５と，ソーラー部材支持部６とが一体的なものとして形成されており、瓦屋根板１５の水下側端縁１５ａと水上側端縁１５ｂと係止されるものである〔図６（Ｂ）参照〕。
【００１１】
横材９は、長手方向に長尺であり、図３（Ａ），（Ｂ）に示すように、その断面形状が略台形状をなし、具体的には、前記スタンドＡのソーラー部材支持部６の頂部箇所の形状に略等しく形成されている。その横材９の頂面９ａには、必要に応じて長孔タイプの貫通孔９ａ１  が形成されている。この横材９は、瓦屋根Ｂの横方向に沿って配置されたスタンドＡ，Ａ，…に装着されるものであり、前記ソーラー部材支持部６の支持頂板６ａ上に配置され、固着具２２により固着される（図１参照）。
【００１２】
そのガッター材１０は、図１，図２に示すように、長手方向に長尺体としたもので、前記横材９上に略直交状として配置される。そのガッター材１０は、主に樋形状部１０ａと被嵌合部１０ｂ，１０ｂとから構成されている。その樋形状部１０ａの幅方向上端箇所には、互いに向かい合う左右対称とした被嵌合部１０ｂ，１０ｂが形成されている。該被嵌合部１０ｂには、後述するソーラー屋根板Ｃが嵌合する。また樋形状部１０ａの底部幅方向両側よりフランジ片１０ｃ，１０ｃが突出形成されている。フランジ片１０ｃ，１０ｃは、前記横材９上にボルト，ナット或いはビス等の固着具１４を介して固着される。
【００１３】
次に、ソーラー屋根板Ｃは、平坦状主板１１の幅方向両側に嵌合側部１２，１２が形成されたものである。そして平坦状主板１１の表面にはソーラー部材１３が装着されている。該嵌合側部１２，１２は、前記ガッター材１０の被嵌合部１０ｂ，１０ｂと嵌合する。その嵌合側部１２の具体的な形状としては、前記平坦状主板１１の幅方向両側より下方に略垂直状に側片１２ａ，１２ａが形成され、該側片１２ａの下端より前記平坦状主板１１側に屈曲する嵌合屈曲片１２ｂが形成されている。該嵌合屈曲片１２ｂがガッター材１０の被嵌合部１０ｂと嵌合する。
【００１４】
図７に示されたものは、瓦屋根Ｂにソーラー屋根板Ｃを装着した状態の略示斜視図である。ソーラー屋根板Ｃにて、屋根を施工するときには、ソーラー屋根板Ｃ，  Ｃ同士のコネクタ１８を介して連結し、屋根全体のソーラー部材１３，  １３，  …は、長手方向の端部相互をケーブル２０を介して、直列に連結され。この直列配線からインバーター２１を介して家屋内には交流電源が供給される（図８参照）。
【００１５】
【作用】
まず、瓦屋根Ｂは、複数枚の瓦屋根板１５，１５，…が野地板１６の瓦桟１７，１７，…にひっかけられて配置されて屋根が葺成されている。適宜の瓦屋根板１５にスタンドＡを装着するには、まずスタンドＡを装着する任意の瓦屋根板１５に対して、その水上側に位置する瓦屋根板１５を上方に持ち上げ、前記任意の瓦屋根板１５と，持ち上げた瓦屋根板１５との間に水上側部材Ａ２  を水上係止部５側より挿入し、その水上係止部５を瓦屋根板１５の水上側端縁１５ｂに係止する〔図４（Ａ）参照〕。その水上側部材Ａ２  は、前記任意の瓦屋根板１５表面に載置し、また持ち上げた水上側の瓦屋根板１５を前記任意の瓦屋根板１５上に下ろす。
【００１６】
次に、前記任意の瓦屋根板１５を水下側端縁１５ａから持ち上げ、水下側部材Ａ１  の水下係止部１を任意の瓦屋根板１５の水下側端縁１５ａ側に係止する。そして、水下側部材Ａ１  の接合部２と，水上側部材Ａ２  の水上側接合部７とを瓦屋根板１５の表面上にて接合し、水上側部材Ａ２  の水上側接合部７とをボルト・ナットによる固着具８にて固着する〔図３（Ｂ）参照〕。
【００１７】
これによって、スタンドＡの水下係止部１と水上係止部５とが、瓦屋根板１５の水下側端縁１５ａと，水上側端縁１５ｂにそれぞれ係止し、スタンドＡが前記任意の瓦屋根板１５に固定されることになる。このスタンドＡの瓦屋根板１５への取付けを瓦屋根Ｂの棟，軒方向及び横方向に沿って適当な間隔に装着してゆく〔図５（Ａ）参照〕。
【００１８】
そして、瓦屋根Ｂの横方向に沿って装着したスタンドＡ，Ａ，…の各ソーラー部材支持部６，６，…上に、横材９を配置し、固着具２２を用いて固着する。このとき、横材９の水下側部は、スタンドＡの挟持部３と水上側接合部７の間に挟み込むことで仮固定することができ、固着具２２により固着する作業を楽に行なうことができる〔図２，図３（Ｂ）参照〕。
【００１９】
その横材９は、瓦屋根Ｂの棟，軒方向に沿って平行に配置されることとなる。そして、所定間隔に配置された各横材９，９，…に直交して複数のガッター材１０，１０，…が所定間隔に配置固着される（図１参照）。その隣接するガッター材１０，１０の間にソーラー屋根板Ｃが配置され、該ソーラー屋根板Ｃの嵌合側部１２，１２がガッター材１０の被嵌合部１０ｂ，１０ｂに嵌合される。このようにして、複数枚のソーラー屋根板Ｃ，Ｃ，…が瓦屋根Ｂ上に配置されて瓦屋根Ｂ上におけるソーラー屋根を施工することができる。
【００２０】
【発明の効果】
請求項１の発明は、瓦屋根Ｂと、該瓦屋根Ｂの瓦屋根板１５の水下側端縁１５ａと水上側端縁１５ｂに係止して前記瓦屋根Ｂの棟，軒方向及び横方向に沿って適当な間隔に固定する複数のスタンドＡ，Ａ，…と、前記瓦屋根Ｂの横方向に沿って配置された複数のスタンドＡ，Ａ，…に固着され，且つ瓦屋根Ｂの棟，軒方向に沿って平行に配置される複数の横材９，９，…と、該横材９上に略直交して固着する複数のガッター材１０，１０，…と、ソーラー部材１３を装着した平坦状主板１１の幅方向両側に前記ガッター材１０の被嵌合部１０ｂ，１０ｂに嵌合する嵌合側部１２，１２を形成したソーラー屋根板Ｃとからなり、前記スタンドＡは、任意の一枚の瓦屋根板１５の水下側端縁１５ａと水上側端縁１５ｂに係止される水下係止部１と水上係止部５とを有してなる瓦屋根へのソーラー屋根板の取付構造としたことにより、瓦屋根Ｂにソーラー屋根板Ｃを強固に取り付けることができるし、極めて簡単な構造にすることができる。
【００２１】
上記効果を詳述すると、スタンドＡは、瓦屋根Ｂの水下側端縁１０ａと水上側端縁１０ｂに係止する構造であり、そのスタンドＡ上に横材９を配置固着し、ガッター材１０を前記横材９上に所定間隔に配置固着し、隣接するガッター材１０，１０間にソーラー屋根板Ｃを装着してゆくので、瓦屋根Ｂには何ら加工する必要がなく、瓦屋根板１０を破損することなく、瓦屋根Ｂ上にソーラー屋根板Ｃを施工してゆくことができる。
【００２２】
特に、スタンドＡは、瓦屋根板１５の水下側端縁１５ａと水上側端縁１５ｂに係止して固定する構造のものであり、その瓦屋根板１５にはなんら加工を施す必要がなく、その瓦屋根板１５を野地板１６より僅かに持ち上げたり、下ろしたりする程度の動作を行なうのみで施工してゆくことができる。従って、この作業において、特に熟練した技術を必要とするものではないので、作業員に対する負担も少なくすることができる。しかも、そのソーラー屋根板Ｃの取付け構造も極めて簡単な構造にすることができることにより、総合的に見て、比較的低価格なる提供が実現される。
【００２３】
次に、請求項２の発明は、請求項１において、  前記スタンドＡは、水下側部材Ａ1 と水上側部材Ａ2 との二部材からなり、水下側部材Ａ1 は瓦屋根板１５の水下側端縁１５ａに係止する水下係止部１を有し、水上側部材Ａ2 は前記瓦屋根板１５の水上側端縁１５ｂに係止する水上係止部５を有し、水下側部材Ａ1 と水上側部材Ａ2 とを連結して瓦屋根板１５に固着してなる瓦屋根へのソーラー屋根板の取付構造としたことにより、瓦屋根Ｂへのソーラー屋根板Ｃの施工を極めて容易に行なうことができる。
【００２４】
即ち、スタンドＡは、水下側部材Ａ１  と水上側部材Ａ２  とから構成されたものである。そしてまず、水下側部材Ａ１  は、水下係止部１を有しているので、瓦屋根板１５の水上側端縁１５ｂから係止することができる。また、その水上側部材Ａ２  は、水上係止部５を有しており、前記瓦屋根板１５の水上側端縁１５ｂから係止することができる。そして、水下側部材Ａ１  と水上側部材Ａ２  とを連結することで瓦屋根板１５に固着してなる瓦屋根へのソーラー屋根取付け構造としたことにより、瓦屋根Ｂへのソーラー屋根板Ｃの施工を極めて容易に行なうことができる。
【図面の簡単な説明】
【図１】本発明の斜視図
【図２】本発明の要部拡大斜視図
【図３】（Ａ）はスタンド及び横材の分解斜視図
（Ｂ）はスタンドを瓦屋根板に装着した状態の側面図
【図４】（Ａ）はスタンドを任意の瓦屋根板に装着する施工工程図
（Ｂ）はスタンドを任意の瓦屋根板に装着する施工工程図
【図５】（Ａ）は瓦屋根板に装着したスタンド上にガッター材を装着する施工工程図
（Ｂ）は瓦屋根板に装着したスタンド上にガッター材を装着する施工工程図
【図６】（Ａ）は別の実施形態のスタンドの斜視図
（Ｂ）は別の実施形態のスタンドを瓦屋根板に装着した状態の側面図
【図７】本発明が使用された家屋の略示斜視図
【図８】ソーラー部材の配線状態を示す平面略示図
【符号の説明】
Ａ…スタンド
Ａ１  …水下側部材
Ａ２  …水上側部材
Ｂ…瓦屋根
９…横材
１０…ガッター材
１０ｂ…被嵌合部
１１…平坦状主板
１２…嵌合側部
１５…瓦屋根板
１５ａ…水下側端縁
１５ｂ…水上側端縁
【図１】
0003563253.tif 000002
【図２】
0003563253.tif 000003
【図３】
0003563253.tif 000004
【図４】
0003563253.tif 000005
【図５】
0003563253.tif 000006
【図６】
0003563253.tif 000007
【図７】
0003563253.tif 000008
【図８】
0003563253.tif 000009